(57)【要約】【課題】複数の情報を同時に表示させることが可能な機構モジュールを提供する。【解決手段】機構モジュール２１は、時針および分針が取り付けられる第１出力軸８１と、表示針が取り付けられ、第１出力軸８１の第１回転軸線Ｏとは異なる第２回転軸線Ｐ１回りに回転する第２出力軸８２と、第１出力軸８１を駆動する第１ステッピングモータおよび第２ステッピングモータと、第２出力軸８２を駆動する第３ステッピングモータと、を備える。【選択図】図３
2018132519.tif 000002
【特許請求の範囲】
【請求項１】
第１針が取り付けられる第１出力軸と、
第２針が取り付けられ、前記第１出力軸の中心軸線とは異なる軸線回りに回転する第２出力軸と、
前記第１出力軸を駆動する第１モータと、
前記第２出力軸を駆動する第２モータと、を備える、
ことを特徴とする機構モジュール。
【請求項２】
前記第１出力軸は、同軸に複数設けられている、
ことを特徴とする請求項１に記載の機構モジュール。
【請求項３】
前記第２モータの駆動力を前記第２出力軸に伝達する輪列と、
前記輪列を支持する地板と、を備え、
前記輪列は、前記第２出力軸に固定された歯車を含み、
前記地板の縁部には、前記第１出力軸の径方向の外側に向かって突出した突部が形成され、
前記突部は、前記第１出力軸の軸方向から見て、前記歯車の少なくとも一部に重なるように形成されている、
ことを特徴とする請求項１または２に記載の機構モジュール。
【請求項４】
前記第１出力軸に固定された第１歯車と、
前記第２出力軸に固定された第２歯車と、を備え、
前記第２歯車は、前記第１出力軸の軸方向から見て、前記第１歯車に重なるように設けられている、
ことを特徴とする請求項１から３のいずれか１項に記載の機構モジュール。
【請求項５】
第３針が取り付けられ、前記第１出力軸の中心軸線および前記第２出力軸の中心軸線と異なる軸線回りに回転する第３出力軸と、
前記第３出力軸を駆動する第３モータと、を備える、
ことを特徴とする請求項１から４のいずれか１項に記載の機構モジュール。
【請求項６】
請求項１から５のいずれか１項に記載の機構モジュールを備えることを特徴とするムーブメント。
【請求項７】
請求項６に記載のムーブメントと、
前記第１針と、
前記第２針と、
を備えることを特徴とする時計。
【請求項８】
前記第２出力軸の中心軸線から前記第２針の先端までの距離は、前記第２出力軸の中心軸線から前記第１出力軸までの距離よりも長く設定され、
前記第２針の回動範囲は、扇形状に設定されている、
ことを特徴とする請求項７に記載の時計。
【請求項９】
前記第２出力軸の中心軸線から前記第２針の先端までの距離は、前記第２出力軸の中心軸線から前記第１出力軸までの距離よりも短く設定され、
前記第２針の回動範囲は、円形状に設定されている、
ことを特徴とする請求項７に記載の時計。
【請求項１０】
請求項５に記載の機構モジュールを備えるムーブメントと、
前記第１針と、
前記第２針と、
前記第３針と、
を備えることを特徴とする時計。
【請求項１１】
前記第２出力軸の中心軸線から前記第２針の先端までの距離は、前記第２出力軸の中心軸線から前記第１出力軸までの距離よりも長く設定され、
前記第３出力軸の中心軸線から前記第３針の先端までの距離は、前記第３出力軸の中心軸線から前記第１出力軸までの距離よりも長く設定され、
前記第２針の回動範囲および前記第３針の回動範囲は、扇形状に設定され、
前記第２針の回動範囲の中心角と前記第３針の回動範囲の中心角との和は、３６０°より大きい、
ことを特徴とする請求項１０に記載の時計。
【発明の詳細な説明】
【技術分野】
【０００１】
本発明は、機構モジュール、ムーブメントおよび時計に関するものである。
【背景技術】
【０００２】
アナログ式の電子時計として、モジュールの基板を構成する地板と、地板に組み込まれたステップモータと、地板に組み込まれ、ステップモータの作動に基づいて回転する輪列と、輪列の少なくとも一部を回転可能に支持するための輪列受と、を含む機構モジュールを備えたものがある（例えば特許文献１参照）。特許文献１に記載された機構モジュールでは、秒針が四番車に取付けられ、分針が二番車に取付けられ、時針が筒車に取付けられる。
【先行技術文献】
【特許文献】
【０００３】
【特許文献１】特開２０００−８１４９１号公報
【発明の概要】
【発明が解決しようとする課題】
【０００４】
ところで、近年では、アナログ式の電子時計に対し、文字板上に明示された文字または記号と針とにより、時刻以外の情報を表示させたいという要望がある。しかしながら、上記特許文献１に機構モジュールでは、針が取り付けられる四番車、二番車および筒車が同軸に設けられ、１つのモータにより同期して回転するように構成されている。このため、上述した機構モジュールを備える時計においては、複数の情報を同時に表示させることが困難である。
【０００５】
そこで本発明は、複数の情報を同時に表示させることが可能な機構モジュール、ムーブメントおよび時計を提供するものである。
【課題を解決するための手段】
【０００６】
本発明の機構モジュールは、第１針が取り付けられる第１出力軸と、第２針が取り付けられ、前記第１出力軸の中心軸線とは異なる軸線回りに回転する第２出力軸と、前記第１出力軸を駆動する第１モータと、前記第２出力軸を駆動する第２モータと、を備える、ことを特徴とする。
【０００７】
本発明によれば、第２出力軸は、第１出力軸を駆動する第１モータとは異なる第２モータにより駆動され、第１出力軸とは異なる軸線回りに回転するので、第１出力軸に取り付けられる第１針が指示する情報とは異なる情報を第２針により指示させることが可能となる。したがって、複数の情報を同時に表示させることが可能な機構モジュールを提供できる。
【０００８】
上記の機構モジュールにおいて、前記第１出力軸は、同軸に複数設けられている、ことが望ましい。
【０００９】
本発明によれば、複数の第１針をそれぞれ第１出力軸に取り付けることができる。このため、例えば時針および分針により時分を指示する場合等、同一の軸線回りで回転する複数の針により特定の情報を指示する場合に好適である。
【００１０】
上記の機構モジュールにおいて、前記第２モータの駆動力を前記第２出力軸に伝達する輪列と、前記輪列を支持する地板と、を備え、前記輪列は、前記第２出力軸に固定された歯車を含み、前記地板の縁部には、前記第１出力軸の径方向の外側に向かって突出した突部が形成され、前記突部は、前記第１出力軸の軸方向から見て、前記歯車の少なくとも一部に重なるように形成されている、ことが望ましい。
【００１１】
第１出力軸の軸方向から見た機構モジュールは、第１出力軸と第２出力軸との距離が大きくなるに従い大型化する傾向にある。本発明によれば、地板の縁部に形成された突部が第２出力軸に固定された歯車の少なくとも一部に重なるので、地板の外形形状が歯車の形状に沿うように形成される。このため、突部が形成されていない地板が歯車を支持する構成と比較して、第１出力軸の軸方向から見た地板の面積を小さくすることができる。したがって、機構モジュールの大型化を抑制することができる。
【００１２】
上記の機構モジュールにおいて、前記第１出力軸に固定された第１歯車と、前記第２出力軸に固定された第２歯車と、を備え、前記第２歯車は、前記第１出力軸の軸方向から見て、前記第１歯車に重なるように設けられている、ことが望ましい。
【００１３】
本発明によれば、第１出力軸に固定された第１歯車と、第２出力軸に固定された第２歯車と、が重なるように設けられているので、第１出力軸と第２出力軸とが近接する構成に好適である。
【００１４】
上記の機構モジュールにおいて、第３針が取り付けられ、前記第１出力軸の中心軸線および前記第２出力軸の中心軸線と異なる軸線回りに回転する第３出力軸と、前記第３出力軸を駆動する第３モータと、を備える、ことが望ましい。
【００１５】
本発明によれば、第３出力軸は、第１出力軸を駆動する第１モータ、および第２出力軸を駆動する第２モータとは異なる第３モータにより駆動され、第１出力軸および第２出力軸とは異なる軸線回りに回転するので、第１出力軸に取り付けられる第１針が指示する情報、および第２出力軸に取り付けられる第２針が指示する情報とは異なる情報を、第３針により指示させることが可能となる。したがって、複数の情報を同時に表示させることが可能な機構モジュールを提供できる。
【００１６】
本発明のムーブメントは、上記の機構モジュールを備えることを特徴とする。
【００１７】
本発明によれば、上述した機構モジュールを備えているので、複数の情報を同時に表示させることが可能なムーブメントとすることができる。
【００１８】
本発明の時計は、上記のムーブメントと、前記第１針と、前記第２針と、を備えることを特徴とする。
【００１９】
本発明によれば、上述したムーブメントを備えているので、第１針と第２針とにより複数の情報を同時に表示することができる。
【００２０】
上記の時計において、前記第２出力軸の中心軸線から前記第２針の先端までの距離は、前記第２出力軸の中心軸線から前記第１出力軸までの距離よりも長く設定され、前記第２針の回動範囲は、扇形状に設定されている、ことが望ましい。
【００２１】
本発明によれば、第２針を第１出力軸と接触しない範囲で回動させることができる。これにより、回動範囲が３６０°に設定された第２針を用いる場合と比較して、より長い第２針により第１針が指示する情報とは異なる情報を指示することが可能な時計を提供できる。
【００２２】
上記の時計において、前記第２出力軸の中心軸線から前記第２針の先端までの距離は、前記第２出力軸の中心軸線から前記第１出力軸までの距離よりも短く設定され、前記第２針の回動範囲は、円形状に設定されている、ことが望ましい。
【００２３】
本発明によれば、第２針を３６０°回転させることができるので、第２モータによる正転駆動のみにより第２針を任意の位置に向けて回転移動させることができる。つまり、第２モータがステッピングモータの場合、第２モータに対して正転パルスの入力のみにより、第２針を任意の位置に向けて回転移動させることが可能となる。したがって、第２針の回動範囲が３６０°未満に設定されている構成と比較して、第２モータの制御を容易に行うことができる。
【００２４】
本発明の時計は、上記の機構モジュールを備えるムーブメントと、前記第１針と、前記第２針と、前記第３針と、を備えることを特徴とする。
【００２５】
本発明によれば、上述したムーブメントを備えているので、第１針と第２針と第３針とにより複数の情報を同時に表示することができる。
【００２６】
上記の時計において、前記第２出力軸の中心軸線から前記第２針の先端までの距離は、前記第２出力軸の中心軸線から前記第１出力軸までの距離よりも長く設定され、前記第３出力軸の中心軸線から前記第３針の先端までの距離は、前記第３出力軸の中心軸線から前記第１出力軸までの距離よりも長く設定され、前記第２針の回動範囲および前記第３針の回動範囲は、扇形状に設定され、前記第２針の回動範囲の中心角と前記第３針の回動範囲の中心角との和は、３６０°より大きい、ことが望ましい。
【００２７】
本発明によれば、回動範囲が３６０°に設定された針を用いる場合と比較して、より長い第２針および第３針により第１針が指示する情報とは異なる情報を視認しやすく指示することが可能となる。さらに、第２針の回動範囲の中心角と第３針の回動範囲の中心角との和が３６０°より大きいので、回動範囲が３６０°以下の針を１つ用いて第１針が指示する情報とは異なる情報を指示する場合と比較して、より多くの情報を指示することが可能となる。したがって、より多くの情報を視認しやすく表示できる時計を提供できる。
【発明の効果】
【００２８】
本発明によれば、複数の情報を同時に表示させることが可能な機構モジュールを提供できる。
【図面の簡単な説明】
【００２９】
【図１】第１実施形態の時計の平面図である。
【図２】第１実施形態の時計の断面図である。
【図３】第１実施形態の機構モジュールを裏側から見た斜視図である。
【図４】第１実施形態の機構モジュールを表側から見た斜視図である。
【図５】第１実施形態の機構モジュールの内部構成を表側から見た平面図である。
【図６】第１実施形態の機構モジュールの断面図である。
【図７】第１実施形態の機構モジュールの断面図である。
【図８】第１実施形態の機構モジュールの断面図である。
【図９】第１実施形態のムーブメントを裏側から見た底面図である。
【図１０】第２実施形態の時計の平面図である。
【図１１】第２実施形態の機構モジュールを裏側から見た斜視図である。
【図１２】第２実施形態の機構モジュールを表側から見た斜視図である。
【図１３】第２実施形態の機構モジュールの内部構成を表側から見た平面図である。
【図１４】第２実施形態の機構モジュールの断面図である。
【図１５】第２実施形態のムーブメントを裏側から見た底面図である。
【図１６】第３実施形態の時計の平面図である。
【図１７】第３実施形態の機構モジュールを裏側から見た斜視図である。
【図１８】第３実施形態の機構モジュールを表側から見た斜視図である。
【図１９】第３実施形態の機構モジュールの内部構成を表側から見た平面図である。
【図２０】第３実施形態の機構モジュールの断面図である。
【図２１】第３実施形態のムーブメントを裏側から見た底面図である。
【図２２】第４実施形態の時計の平面図である。
【図２３】第４実施形態の時計の断面図である。
【図２４】第４実施形態の機構モジュールを裏側から見た斜視図である。
【図２５】第４実施形態の機構モジュールを表側から見た斜視図である。
【図２６】第４実施形態の機構モジュールの内部構成を表側から見た平面図である。
【図２７】第４実施形態の機構モジュールの断面図である。
【図２８】第４実施形態のムーブメントを裏側から見た底面図である。
【図２９】第５実施形態の時計の平面図である。
【図３０】第５実施形態の時計の断面図である。
【図３１】第５実施形態の機構モジュールを裏側から見た斜視図である。
【図３２】第５実施形態の機構モジュールを表側から見た斜視図である。
【図３３】第５実施形態の機構モジュールの内部構成を表側から見た平面図である。
【図３４】第５実施形態の機構モジュールの断面図である。
【図３５】第５実施形態のムーブメントを裏側から見た底面図である。
【図３６】第６実施形態の時計の平面図である。
【図３７】第６実施形態の時計の断面図である。
【図３８】第６実施形態の機構モジュールを裏側から見た斜視図である。
【図３９】第６実施形態の機構モジュールを表側から見た斜視図である。
【図４０】第６実施形態の機構モジュールの内部構成を表側から見た平面図である。
【図４１】第６実施形態のムーブメントを裏側から見た底面図である。
【発明を実施するための形態】
【００３０】
以下、本発明の実施形態を図面に基づいて説明する。以下の実施形態では、時計の一例として、スマートフォン等の外部機器との間で通信可能に形成されたアナログクォーツ式の電子時計を例に挙げて説明する。なお以下の説明では、同一または類似の機能を有する構成に同一の符号を付す。そして、それら構成の重複する説明は省略する場合がある。
【００３１】
［第１実施形態］
最初に第１実施形態の時計１、ムーブメント１０および機構モジュール２１について説明する。
（時計）
一般に、時計の駆動部分を含む機械体を「ムーブメント」と称する。このムーブメントに文字板、指針を取り付けて、時計ケースの中に入れて完成品にした状態を時計の「コンプリート」と称する。また、時計の基板を構成する地板に対する時計ケースのガラス側、すなわち、文字板側をムーブメントの「裏側」と称する。また、地板に対する時計ケースのケース裏蓋側、すなわち、文字板とは反対側をムーブメントの「表側」と称する。
【００３２】
図１は、第１実施形態の時計の平面図である。
図１に示すように、時計１のコンプリートは、ケース裏蓋（不図示）およびガラス３を含む時計ケース４の内部に、ムーブメント１０、文字板１１、時針１２、分針１３および表示針１４を備える。時針１２および分針１３は、時刻を指示する。時針１２および分針１３は、後述する機構モジュール２１が備える第１出力軸８１（図２参照）に取り付けられ、第１回転軸線Ｏ（第１出力軸８１の中心軸線）回りに回転する。表示針１４は、時計１が実行しているモードの種類等、時針１２および分針１３が指示する時刻情報とは異なる情報を指示する。表示針１４は、機構モジュール２１が備える第２出力軸８２（図２参照）に取り付けられ、第１回転軸線Ｏとは異なる第２回転軸線Ｐ１（第２出力軸８２の中心軸線）回りに回動する。第２回転軸線Ｐ１は、第１回転軸線Ｏと平行に設けられている。
【００３３】
第２回転軸線Ｐ１から表示針１４の先端までの距離は、第２回転軸線Ｐ１から第１出力軸８１（図２参照）までの距離よりも長くなっている。このため、表示針１４の回動範囲は、３６０°未満であって、第１出力軸８１を避けた扇形状に設定されている。
【００３４】
文字板１１は、円板状に形成されている。文字板１１は、時針１２および分針１３に対応する主表示領域１５と、表示針１４に対応する副表示領域１６と、を有する。主表示領域１５には、時針１２および分針１３の先端により指示される目盛りが、文字板１１の外周に沿って円周状に設けられている。副表示領域１６には、表示針１４の先端により指示される目盛りや文字等が、表示針１４の回動範囲に対応して、第２回転軸線Ｐ１を中心とする円弧状に設けられている。本実施形態では、副表示領域１６は、表示針１４との組み合わせにより、例えば活動量計の目標値に対する達成率や、時計１が実行しているモードの種類等を表示可能となっている。文字板１１、時針１２、分針１３および表示針１４は、ガラス３を通じて視認可能に配置されている。
【００３５】
時計ケース４の側面のうち、２時に位置する部分、および４時に位置する部分のそれぞれにはボタン１７が設けられている。ボタン１７は、時針１２および分針１３が示す時刻を修正する時刻修正や、時計１が実行するモードの切り替え等に用いられる。
【００３６】
（ムーブメント）
図２は、第１実施形態の時計の断面図である。
図２に示すように、ムーブメント１０は、文字板１１とケース裏蓋（不図示）との間に配置されている。ムーブメント１０は、時針１２、分針１３および表示針１４が取り付けられる機構モジュール２１と、機構モジュール２１の表側に配置され機構モジュール２１の駆動を制御する回路ブロック２３と、機構モジュール２１と回路ブロック２３とを電気的に接続する中継基板２４と、機構モジュール２１および回路ブロック２３を保持するモジュール枠２５と、を備えている。
なお、以下の説明では、時針１２および分針１３の回転中心である第１回転軸線Ｏの延在方向を軸方向といい、軸方向に直交して第１回転軸線Ｏから放射状に延びる方向を径方向という。
【００３７】
（機構モジュール）
図３は、第１実施形態の機構モジュールを裏側から見た斜視図である。
図３に示すように、機構モジュール２１は、その外郭を形成する部材（本実施形態では後述する地板５１および筒車押さえ５３）から突出する第１出力軸８１および第２出力軸８２を備えている。第１出力軸８１および第２出力軸８２は、互いに異なる位置において、平行に設けられている。第１出力軸８１は、第１回転軸線Ｏ回りに回転する。第２出力軸８２は、第２回転軸線Ｐ１回りに回転する。
【００３８】
図４は、第１実施形態の機構モジュールを表側から見た斜視図である。図５は、第１実施形態の機構モジュールの内部構成を表側から見た平面図である。なお、図４および図５では、機構モジュール２１に中継基板２４が配置された状態を示している。
図４および図５に示すように、機構モジュール２１は、第１輪列３０Ａ、第２輪列３０Ｂおよび第３輪列３０Ｃと、第１輪列３０Ａを駆動する第１ステッピングモータ４０Ａ（第１モータ）と、第２輪列３０Ｂを駆動する第２ステッピングモータ４０Ｂ（第１モータ）と、第３輪列３０Ｃを駆動する第３ステッピングモータ４０Ｃ（第２モータ）と、各輪列３０Ａ〜３０Ｃ等を支持する地板５１および輪列受５２と、地板５１に固定された筒車押さえ５３（図３参照）と、地板５１と輪列受５２との間に配置された二番受５４と、を備えている。
【００３９】
図４に示すように、地板５１は、機構モジュール２１の基板を構成している。地板５１は、例えば樹脂材料等により、軸方向を厚み方向とする板状に形成されている。地板５１は、軸方向から見た平面視で六角形状に形成されている（図５参照）。
輪列受５２は、地板５１の表側に配置されている。輪列受５２は、例えば樹脂材料等により、軸方向を厚み方向とする板状に形成されている。
【００４０】
図３に示すように、筒車押さえ５３は、地板５１の裏側に固定されている。筒車押さえ５３は、例えば金属材料等により、軸方向を厚み方向とする平板状に形成されている。
図５に示すように、二番受５４は、地板５１に固定されている。二番受５４は、例えば金属材料等により軸方向を厚み方向とする平板状に形成されている。
【００４１】
各ステッピングモータ４０Ａ〜４０Ｃは、地板５１に支持されている。各ステッピングモータ４０Ａ〜４０Ｃは、それぞれ地板５１の表側において、第１回転軸線Ｏ回りに並んで配置されている。各ステッピングモータ４０Ａ〜４０Ｃは、表側から見て第１回転軸線Ｏを中心とした反時計回りに、第１ステッピングモータ４０Ａ、第２ステッピングモータ４０Ｂ、第３ステッピングモータ４０Ｃの順に略９０°間隔で並んでいる。つまり、第１ステッピングモータ４０Ａと第３ステッピングモータ４０Ｃとは、第１回転軸線Ｏを挟んで対向するように配置されている。また、第２ステッピングモータ４０Ｂは、第１回転軸線Ｏを挟んで第２回転軸線Ｐ１とは反対側に配置されている。なお、各ステッピングモータ４０Ａ〜４０Ｃはそれぞれ同様に形成されているので、各ステッピングモータ４０Ａ〜４０Ｃの構成に関する以下の説明では第１ステッピングモータ４０Ａを例に挙げて説明する。
【００４２】
第１ステッピングモータ４０Ａは、磁心４２および磁心４２に巻いたコイルワイヤ４３を含むコイルブロック４１と、コイルブロック４１の磁心４２の両端部分と接触するように配置されたステータ４４と、ステータ４４のロータ孔４４ａに配置されたロータ４５と、を有している。
【００４３】
コイルブロック４１は、磁心４２およびコイルワイヤ４３と、磁心４２の一端部に固定されたコイルリード基板４６と、を備えている。
磁心４２は、軸方向および径方向に直交する方向に沿うように延在している。磁心４２は、その両端部においてネジ５６により地板５１に対して固定されている。
【００４４】
コイルリード基板４６は、プリント基板である。コイルリード基板４６は、磁心４２の一端部の表側に配置され、ネジ５６により磁心４２とともに共締めされている。コイルリード基板４６は、磁心４２の一端部に対する固定部から、軸方向から見て地板５１の中央部に向かって延びている。
【００４５】
コイルリード基板４６の表面には、一対の配線４７が形成されている。各配線４７は、コイルリード基板４６の延在方向に沿って延びている。各配線４７における磁心４２側の一端部には、それぞれコイルワイヤ４３の端部が溶接される溶接端子４７ａが形成されている。各配線４７の他端部には、第１ステッピングモータ４０Ａを駆動する電気信号を受信する受信端子４７ｂ（図２参照）が形成されている。
【００４６】
ステータ４４は、磁心４２よりも径方向内側に配置されている。ステータ４４は、一対のネジ５６により磁心４２とともに共締めされている。
ロータ４５は、地板５１と輪列受５２（図４参照）とにより回転可能に支持されている。
【００４７】
図６から図８は、第１実施形態の機構モジュールの断面図である。
図６に示すように、第１輪列３０Ａは、第１ステッピングモータ４０Ａの駆動力を第１出力軸８１に伝達する。第１輪列３０Ａは、第１時中間車３１と、第２時中間車３２と、筒車３３と、を有する。第１時中間車３１は、第１時中間歯車３１ａと第１時中間かな３１ｂとを有し、地板５１と輪列受５２とにより回転可能に支持されている。第１時中間歯車３１ａは、第１ステッピングモータ４０Ａのロータ４５のかな４５ａに噛み合っている。第２時中間車３２は、第２時中間歯車３２ａと第２時中間かな３２ｂとを有し、地板５１と輪列受５２とにより回転可能に支持されている。第２時中間歯車３２ａは、第１時中間車３１の第１時中間かな３１ｂに噛み合っている。
【００４８】
筒車３３は、地板５１の裏側において中心パイプ６２に回転可能に外挿されている。中心パイプ６２は、地板５１に保持されている。中心パイプ６２は、第１回転軸線Ｏと同軸に延在し、地板５１から裏側へ突出している。つまり、筒車３３は、第１回転軸線Ｏと同軸に配置されている。筒車３３は、第２時中間車３２の第２時中間かな３２ｂに噛み合う筒歯車３３ａ（第１歯車）を有する。筒車３３は、筒車押さえ５３に押さえられている。筒車３３は、筒車押さえ５３と筒歯車３３ａとの間に配置された第１針座６３により、地板５１側に向かって付勢されている。筒車３３の裏側の端部は、筒車押さえ５３から裏側へ突出している。つまり、筒車３３は、第１出力軸８１である。筒車３３の裏側の端部には、時針１２が取り付けられる（図２参照）。
【００４９】
図７に示すように、第２輪列３０Ｂは、第２ステッピングモータ４０Ｂの駆動力を第１出力軸８１に伝達する。第２輪列３０Ｂは、第１二番中間車３４と、第２二番中間車３５と、二番車３６と、を有する。第１二番中間車３４は、第１二番中間歯車３４ａと第１二番中間かな３４ｂとを有し、地板５１と輪列受５２とにより回転可能に支持されている。第１二番中間歯車３４ａは、第２ステッピングモータ４０Ｂのロータ４５のかな４５ａに噛み合っている。第２二番中間車３５は、第２二番中間歯車３５ａと第２二番中間かな３５ｂとを有し、地板５１と輪列受５２とにより回転可能に支持されている。第２二番中間歯車３５ａは、第１二番中間車３４の第１二番中間かな３４ｂに噛み合っている。
【００５０】
二番車３６は、中心パイプ６２内に軸方向の表側から回転可能に挿通されている。つまり、二番車３６は、第１回転軸線Ｏと同軸に配置されている。二番車３６の表側の端部は、二番受５４に支持されている。二番車３６は、第２二番中間車３５の第２二番中間かな３５ｂに噛み合う二番歯車３６ａ（第１歯車）を有する。二番車３６は、二番受５４と二番歯車３６ａとの間に配置された第２針座６４により、地板５１側に向かって付勢され、中心パイプ６２の表側開口端に接触している。二番車３６の裏側の端部は、筒車押さえ５３から裏側へ突出している。つまり、二番車３６は、第１出力軸８１である。二番車３６の裏側の端部には、分針１３が取り付けられる（図２参照）。
【００５１】
図８に示すように、第３輪列３０Ｃは、第３ステッピングモータ４０Ｃの駆動力を第２出力軸８２に伝達する。第３輪列３０Ｃは、六番車３７と、五番車３８と、表示車３９と、を有する。六番車３７は、六番歯車３７ａと六番かな３７ｂとを有し、地板５１と輪列受５２とにより回転可能に支持されている。六番歯車３７ａは、第３ステッピングモータ４０Ｃのロータ４５のかな４５ａに噛み合っている。五番車３８は、五番歯車３８ａと五番かな３８ｂとを有し、地板５１と輪列受５２とにより回転可能に支持されている。五番歯車３８ａは、六番車３７の六番かな３７ｂに噛み合っている。
【００５２】
表示車３９は、第２回転軸線Ｐ１と同軸に配置されている。表示車３９は、車軸３９ａと、車軸３９ａに固定された表示歯車３９ｂ（第２歯車）と、を有する。車軸３９ａは、地板５１に回転可能に支持されている。車軸３９ａの表側の端部は、輪列受５２に設けられた第１ブッシュ５２ａに軸支されている。車軸３９ａの裏側の端部は、地板５１から裏側へ突出している。つまり、車軸３９ａは、第２出力軸８２である。車軸３９ａの裏側の端部には、表示針１４が取り付けられる（図２参照）。表示歯車３９ｂは、五番車３８の五番かな３８ｂに噛み合っている。表示歯車３９ｂは、軸方向から見て筒車３３の筒歯車３３ａ、および二番車３６の二番歯車３６ａに重なるように配置されている（図５参照）。表示車３９は、輪列受５２と表示歯車３９ｂとの間に配置された第３針座６５により、地板５１側に向かって付勢されている。
【００５３】
ここで、輪列受５２について詳述する。図６および図７に示すように、輪列受５２には、凹部５８が形成されている。凹部５８は、輪列受５２における地板５１と対向する主面上に形成されている。凹部５８は、軸方向から見て二番車３６と重なる箇所に形成されている。つまり、凹部５８は、第１回転軸線Ｏの周囲に形成されている。凹部５８の底面と二番受５４との間には、空間が形成されている。凹部５８の中心部には、第２ブッシュ５９が設けられている。第２ブッシュ５９は、第１回転軸線Ｏと同軸に設けられている。第２ブッシュ５９の表側の端部は、輪列受５２に支持されている。第２ブッシュ５９の裏側の端部は、二番車３６の表側の端部に対して軸方向で僅かに離間して対向している。
【００５４】
（回路ブロック）
図２に示すように、回路ブロック２３は、プリント基板である基板本体７１に、図示しないＩＣや水晶ユニット等が実装されたものである。基板本体７１は、軸方向から見て円形状に形成されている。基板本体７１における機構モジュール２１と対向する面には、プリント配線からなる３系統の送信端子７５（図２には１系統のみ図示）が形成されている。各系統の送信端子７５には、中継基板２４を介して、各ステッピングモータ４０Ａ〜４０Ｃ（図５参照）の受信端子４７ｂに電気的に接続される。送信端子７５は、各ステッピングモータ４０Ａ〜４０Ｃを駆動するための電気信号（駆動パルス）を受信端子４７ｂに送信する。
【００５５】
（中継基板）
図４に示すように、中継基板２４は、機構モジュール２１と回路ブロック２３の基板本体７１（図２参照）との間に３個配置されている。具体的に、各中継基板２４は、各ステッピングモータ４０Ａ〜４０Ｃのコイルリード基板４６上にそれぞれ配置されている。
【００５６】
各中継基板２４には、それぞれ一対の中継配線２８が形成されている。一対の中継配線２８は、それぞれ中継基板２４の裏面から、中継基板２４を軸方向に貫通する貫通孔内を通って、中継基板２４の表面に亘って連なっている。図２に示すように、一対の中継配線２８は、中継基板２４の裏面においてそれぞれ各ステッピングモータ４０Ａ〜４０Ｃの受信端子４７ｂに接触するとともに、中継基板２４の表面においてそれぞれ基板本体７１の送信端子７５に接触している。これにより、中継基板２４は、コイルリード基板４６の受信端子４７ｂと、基板本体７１の送信端子７５と、を電気的に接続している。
【００５７】
（モジュール枠）
図９は、第１実施形態のムーブメントを裏側から見た底面図である。
図９に示すように、モジュール枠２５は、例えば樹脂材料等により、回路ブロック２３（図２参照）と略同径の円盤状に形成されている。モジュール枠２５には、モジュール配置孔２５ａが形成されている。モジュール配置孔２５ａは、モジュール枠２５の中央部において軸方向に貫通している。モジュール配置孔２５ａは、軸方向から見て機構モジュール２１に対応する形状に形成されている。モジュール配置孔２５ａには、機構モジュール２１が配置される。図２に示すように、機構モジュール２１は、複数のネジ６０により回路ブロック２３に固定された状態で、モジュール枠２５に取り付けられる。
【００５８】
このように、本実施形態の機構モジュール２１は、時針１２および分針１３が取り付けられる第１出力軸８１（筒車３３および二番車３６）と、表示針１４が取り付けられ、第１出力軸８１の中心軸線である第１回転軸線Ｏとは異なる第２回転軸線Ｐ１回りに回転する第２出力軸８２（車軸３９ａ）と、を備える。さらに、機構モジュール２１は、第１出力軸８１を駆動する第１ステッピングモータ４０Ａおよび第２ステッピングモータ４０Ｂと、第２出力軸８２を駆動する第３ステッピングモータ４０Ｃと、を備える。
また、本実施形態のムーブメント１０は、機構モジュール２１を備える。
【００５９】
この構成によれば、第２出力軸８２は、第１出力軸８１を駆動する第１ステッピングモータ４０Ａとは異なる第３ステッピングモータ４０Ｃにより駆動され、第１出力軸８１とは異なる軸線回りに回転するので、第１出力軸８１に取り付けられる時針１２および分針１３が指示する時刻情報とは異なる情報を表示針１４により指示させることが可能となる。したがって、複数の情報を同時に表示させることが可能な機構モジュール２１およびムーブメント１０を提供できる。
【００６０】
また、機構モジュール２１は、第１出力軸８１と、第１出力軸８１とは異なる軸線回りに回転する第２出力軸８２と、を備えるので、２つの機構モジュールを用いて一対の出力軸を設ける構成と比較して、機構モジュールが占有するスペースを削減することができる。したがって、機構モジュール２１が搭載される時計を小型化することが可能となる。
【００６１】
また、第１出力軸８１に固定された筒歯車３３ａおよび二番歯車３６ａと、第２出力軸８２に固定された表示歯車３９ｂと、が軸方向から見て重なるように設けられているので、第１出力軸８１と第２出力軸８２とを近接させることができる。
【００６２】
また、本実施形態の時計１は、ムーブメント１０と、時針１２および分針１３と、表示針１４と、を備えているので、複数の情報を同時に表示させることが可能な時計とすることができる。
【００６３】
また、第２回転軸線Ｐ１から表示針１４の先端までの距離は、第２回転軸線Ｐ１から第１出力軸８１までの距離よりも長く設定され、表示針１４の回動範囲は、扇形状に設定されているので、表示針１４を第１出力軸８１と接触しない範囲で回動させることができる。これにより、回動範囲が３６０°に設定された表示針を用いる場合と比較して、より長い表示針１４により時針１２および分針１３が指示する時刻情報とは異なる情報を指示することが可能な時計１を提供できる。
【００６４】
また、輪列受５２には、二番車３６と軸方向で対向する位置に凹部５８が形成されているので、第２ブッシュ５９をおよび表示車３９を取り外し、五番車３８と噛み合う四番車を凹部５８の底面と二番受５４との間に配置できる（後述する第５実施形態参照）。そして、四番車の軸部を二番車３６の内部に挿通させることで、時針１２および分針１３と同軸で回転する３つ目の針を設けることが可能となる。したがって、出力軸が１箇所に設けられた構成と、出力軸が２箇所に設けられた構成と、を容易に変更できる機構モジュール２１とすることができる。
【００６５】
［第２実施形態］
次に、第２実施形態の時計１０１、ムーブメント１１０および機構モジュール１２１について説明する。第２実施形態の時計１０１は、表示針１１４の回動範囲が３６０°に設定されている点で、第１実施形態の時計１と異なっている（図１および図１０参照）。また、第２実施形態の機構モジュール１２１は、地板１５１に突部１５１ｂが形成されている点で、第１実施形態の機構モジュール２１と異なっている（図４および図１２参照）。
【００６６】
（時計）
図１０は、第２実施形態の時計の平面図である。
図１０に示すように、時計１０１のコンプリートは、ムーブメント１１０、文字板１１１、時針１２、分針１３および表示針１１４を備える。表示針１１４は、時計１０１が実行しているモードの種類等、時針１２および分針１３が指示する時刻情報とは異なる情報を指示する。表示針１１４は、機構モジュール１２１が備える第２出力軸１８２（図１１参照）に取り付けられ、第１回転軸線Ｏとは異なる第２回転軸線Ｐ２（第２出力軸１８２の中心軸線）回りに回転する。第２回転軸線Ｐ２は、第１回転軸線Ｏと平行に設けられている。
【００６７】
第２回転軸線Ｐ２から表示針１１４の先端までの距離は、第２回転軸線Ｐ２から第１出力軸８１（図１１参照）までの距離よりも短くなっている。このため、表示針１１４は、第２回転軸線Ｐ２として３６０°回転することができる。つまり、表示針１１４の回動範囲は、第２回転軸線Ｐ２を中心とする円形状に設定されている。
【００６８】
文字板１１１は、主表示領域１５と、表示針１１４に対応する副表示領域１１６と、を有する。副表示領域１１６には、表示針１１４の先端により指示される目盛りや文字等が、表示針１１４の回動範囲に対応して、第２回転軸線Ｐ２を中心とする円周状に設けられている。本実施形態では、副表示領域１１６は、第１実施形態の副表示領域１６と同様に、表示針１１４との組み合わせにより、例えば活動量計の目標値に対する達成率や、時計１が実行しているモードの種類等を表示可能となっている。
【００６９】
（ムーブメント）
ムーブメント１１０は、文字板１１１とケース裏蓋（不図示）との間に配置されている。ムーブメント１１０は、時針１２、分針１３および表示針１１４が取り付けられる機構モジュール１２１と、機構モジュール１２１の表側に配置され機構モジュール１２１の駆動を制御する回路ブロック２３（図２参照）と、機構モジュール１２１と回路ブロック２３とを電気的に接続する中継基板２４（図２参照）と、機構モジュール１２１および回路ブロック２３を保持するモジュール枠１２５（図１５参照）と、を備えている。
【００７０】
（機構モジュール）
図１１は、第２実施形態の機構モジュールを裏側から見た斜視図である。
図１１に示すように、機構モジュール１２１は、その外郭を形成する部材（本実施形態では後述する地板１５１および筒車押さえ５３）から突出する第１出力軸８１および第２出力軸１８２を備えている。第１出力軸８１および第２出力軸１８２は、互いに異なる位置において、平行に設けられている。第２出力軸１８２は、第２回転軸線Ｐ２回りに回転する。
【００７１】
図１２は、第２実施形態の機構モジュールを表側から見た斜視図である。図１３は、第２実施形態の機構モジュールの内部構成を表側から見た平面図である。なお、図１２および図１３では、機構モジュール１２１に中継基板２４が配置された状態を示している。
図１２および図１３に示すように、機構モジュール１２１は、第１輪列３０Ａ、第２輪列３０Ｂおよび第３輪列１３０Ｃと、第１輪列３０Ａを駆動する第１ステッピングモータ４０Ａと、第２輪列３０Ｂを駆動する第２ステッピングモータ４０Ｂと、第３輪列１３０Ｃを駆動する第３ステッピングモータ４０Ｃと、各輪列３０Ａ，３０Ｂ，１３０Ｃ等を支持する地板１５１および輪列受１５２と、地板１５１に固定された筒車押さえ５３（図１１参照）と、地板１５１と輪列受１５２との間に配置された二番受５４と、を備えている。
【００７２】
地板１５１は、機構モジュール１２１の基板を構成している。地板１５１の縁部には、径方向の外側に向かって突出した突部１５１ｂが形成されている。つまり、地板１５１は、軸方向から見て六角形状に形成された主部１５１ａと、軸方向から見て直線状に延びる主部１５１ａの端縁から径方向の外側に向かって突出した突部１５１ｂと、を備えている。主部１５１ａは、第１実施形態における地板５１と略同様に形成されている。突部１５１ｂは、軸方向から見て第２回転軸線Ｐ２を中心とする半円形状に形成されている。
輪列受１５２は、地板１５１の表側に配置されている。
【００７３】
図１４は、第２実施形態の機構モジュールの断面図である。
図１４に示すように、第３輪列１３０Ｃは、第３ステッピングモータ４０Ｃの駆動力を第２出力軸１８２に伝達する。第３輪列１３０Ｃは、六番車３７と、五番車１３８と、表示車１３９と、を有する。五番車１３８は、五番歯車１３８ａを有し、地板１５１と輪列受１５２とにより回転可能に支持されている。五番歯車１３８ａは、六番車３７の六番かな３７ｂに噛み合っている。
【００７４】
表示車１３９は、第２回転軸線Ｐ２と同軸に配置されている。表示車１３９は、車軸１３９ａと、車軸１３９ａに固定された表示歯車１３９ｂ（歯車）と、を有する。車軸１３９ａは、地板１５１に回転可能に支持されている。車軸１３９ａの表側の端部は、輪列受１５２に設けられた第１ブッシュ５２ａに軸支されている。車軸１３９ａの裏側の端部は、地板１５１から裏側へ突出している。つまり、車軸１３９ａは、第２出力軸１８２である。車軸１３９ａの裏側の端部には、表示針１１４（図１０参照）が取り付けられる。表示歯車１３９ｂは、軸方向から見て一部が突部１５１ｂに重なるように配置されている（図１３参照）。表示歯車１３９ｂは、五番車１３８の五番歯車１３８ａに噛み合っている。表示車１３９は、輪列受１５２と表示歯車１３９ｂとの間に配置された第３針座１６５により、軸方向の裏側に向かって付勢されている。
【００７５】
（モジュール枠）
図１５は、第２実施形態のムーブメントを裏側から見た底面図である。
図１５に示すように、モジュール枠１２５は、例えば樹脂材料等により、回路ブロック２３（図２参照）と略同径の円盤状に形成されている。モジュール枠１２５には、モジュール配置孔１２５ａが形成されている。モジュール配置孔１２５ａは、モジュール枠１２５の中央部において軸方向に貫通している。モジュール配置孔１２５ａは、軸方向から見て機構モジュール１２１に対応する形状に形成されている。モジュール配置孔１２５ａには、機構モジュール１２１が配置される。機構モジュール１２１は、回路ブロック２３に固定された状態で、モジュール枠１２５に取り付けられる。
【００７６】
このように、本実施形態の機構モジュール１２１は、時針１２および分針１３が取り付けられる第１出力軸８１（筒車３３および二番車３６）と、表示針１１４が取り付けられ、第２回転軸線Ｐ２回りに回転する第２出力軸１８２（車軸１３９ａ）と、を備える。さらに、機構モジュール１２１は、第１出力軸８１を駆動する第１ステッピングモータ４０Ａおよび第２ステッピングモータ４０Ｂと、第２出力軸１８２を駆動する第３ステッピングモータ４０Ｃと、を備える。また、本実施形態のムーブメント１１０は、機構モジュール１２１を備える。このため、本実施形態によれば、第１実施形態の機構モジュール２１およびムーブメント１０と同様の作用効果を奏することができる。
【００７７】
また、軸方向から見た機構モジュール１２１は、第１出力軸８１と第２出力軸１８２との距離が大きくなるに従い大型化する傾向にある。本実施形態によれば、地板１５１の縁部に形成された突部１５１ｂが表示歯車１３９ｂの少なくとも一部に重なるので、地板１５１の外形形状が表示歯車１３９ｂの形状に沿うように形成される。このため、突部１５１ｂが形成されていない地板が表示歯車１３９ｂを支持する構成と比較して、軸方向から見た地板１５１の面積を小さくすることができる。したがって、機構モジュール１２１の大型化を抑制することができる。
【００７８】
また、第２回転軸線Ｐ２から表示針１１４の先端までの距離は、第２回転軸線Ｐ２から第１出力軸８１までの距離よりも短く設定され、表示針１１４の回動範囲は、円形状に設定されている。このため、表示針１１４を３６０°回転させることができるので、第３ステッピングモータ４０Ｃによる正転駆動のみにより表示針１１４を任意の位置に向けて回転移動させることができる。つまり、第３ステッピングモータ４０Ｃに対して正転パルスの入力のみにより、表示針１１４を任意の位置に向けて回転移動させることが可能となる。したがって、表示針の回動範囲が３６０°未満に設定されている構成と比較して、第３ステッピングモータ４０Ｃの制御を容易に行うことができる。
【００７９】
［第３実施形態］
次に、第３実施形態の時計２０１、ムーブメント２１０および機構モジュール２２１について説明する。第１実施形態の機構モジュール２１は、筒車３３および二番車３６を第１ステッピングモータ４０Ａおよび第２ステッピングモータ４０Ｂにより駆動している。これに対して、第３実施形態の機構モジュール２２１は、筒車３３および二番車３６を第２ステッピングモータ４０Ｂのみにより駆動している点で、第１実施形態の機構モジュール２１と異なっている。
【００８０】
（時計）
図１６は、第３実施形態の時計の平面図である。
図１６に示すように、時計２０１のコンプリートは、ムーブメント２１０、文字板１１、時針１２、分針１３および表示針１４を備える。
【００８１】
（ムーブメント）
ムーブメント２１０は、文字板１１とケース裏蓋（不図示）との間に配置されている。ムーブメント２１０は、時針１２、分針１３および表示針１４が取り付けられる機構モジュール２２１と、機構モジュール２２１の表側に配置され機構モジュール２２１の駆動を制御する回路ブロック２３（図２参照）と、機構モジュール２２１と回路ブロック２３とを電気的に接続する中継基板２４（図２参照）と、機構モジュール２２１および回路ブロック２３を保持するモジュール枠２２５（図２１参照）と、を備えている。
【００８２】
（機構モジュール）
図１７は、第３実施形態の機構モジュールを裏側から見た斜視図である。
図１７に示すように、機構モジュール２２１は、その外郭を形成する部材（本実施形態では後述する地板２５１および筒車押さえ２５３）から突出する第１出力軸８１および第２出力軸８２を備えている。
【００８３】
図１８は、第３実施形態の機構モジュールを表側から見た斜視図である。図１９は、第３実施形態の機構モジュールの内部構成を表側から見た平面図である。なお、図１８および図１９では、機構モジュール２２１に中継基板２４が配置された状態を示している。
図１８および図１９に示すように、機構モジュール２２１は、第１輪列２３０Ａおよび第３輪列３０Ｃと、第１輪列２３０Ａを駆動する第２ステッピングモータ４０Ｂと、第３輪列３０Ｃを駆動する第３ステッピングモータ４０Ｃと、各輪列２３０Ａ，３０Ｃ等を支持する地板２５１および輪列受２５２と、地板２５１に固定された筒車押さえ２５３（図１７参照）と、地板２５１と輪列受２５２との間に配置された二番受５４と、を備えている。
【００８４】
地板２５１は、機構モジュール２２１の基板を構成している。地板２５１は、第１実施形態の地板５１に対し、第１ステッピングモータ４０Ａを支持する箇所の一部が省略された構成を有している。
輪列受２５２は、地板２５１の表側に配置されている。
筒車押さえ２５３は、地板２５１の裏側に固定されている。
【００８５】
図２０は、第３実施形態の機構モジュールの断面図である。
図２０に示すように、第１輪列２３０Ａは、第２ステッピングモータ４０Ｂの駆動力を第１出力軸８１に伝達する。第１輪列２３０Ａは、第１二番中間車３４と、第２二番中間車３５と、二番車２３６と、日の裏車６１と、筒車３３と、を有する。
【００８６】
二番車２３６は、中心パイプ６２内に軸方向の表側から回転可能に挿通されている。つまり、二番車２３６は、第１回転軸線Ｏと同軸に配置されている。二番車２３６の表側の端部は、二番受５４に支持されている。二番車２３６は、二番歯車３６ａと二番かな２３６ｂとを有している。二番車２３６は、二番受５４と二番歯車３６ａとの間に配置された第２針座６４により、地板２５１側に向かって付勢され、中心パイプ６２の表側開口端に接触している。二番車２３６の裏側の端部は、筒車押さえ２５３から裏側へ突出している。つまり、二番車２３６は、第１出力軸８１である。二番車２３６の裏側の端部には、分針１３（図１６参照）が取り付けられる。
【００８７】
日の裏車６１は、日の裏歯車６１ａと日の裏かな６１ｂとを有し、地板２５１と輪列受２５２とにより回転可能に支持されている。日の裏歯車６１ａは、二番車２３６の二番かな２３６ｂに噛み合っている。日の裏かな６１ｂは、筒車３３の筒歯車３３ａに噛み合っている。
【００８８】
（モジュール枠）
図２１は、第３実施形態のムーブメントを裏側から見た底面図である。
図２１に示すように、モジュール枠２２５は、例えば樹脂材料等により、回路ブロック２３（図２参照）と略同径の円盤状に形成されている。モジュール枠２２５には、モジュール配置孔２２５ａが形成されている。モジュール配置孔２２５ａは、モジュール枠２２５の中央部において軸方向に貫通している。モジュール配置孔２２５ａは、軸方向から見て機構モジュール２２１に対応する形状に形成されている。モジュール配置孔２２５ａには、機構モジュール２２１が配置される。機構モジュール２２１は、回路ブロック２３に固定された状態で、モジュール枠２２５に取り付けられる。
【００８９】
このように、本実施形態の機構モジュール２２１は、時針１２および分針１３が取り付けられる第１出力軸８１（筒車３３および二番車２３６）と、表示針１４が取り付けられ、第２回転軸線Ｐ１回りに回転する第２出力軸８２（車軸３９ａ）と、を備える。さらに、機構モジュール２２１は、第１出力軸８１を駆動する第２ステッピングモータ４０Ｂと、第２出力軸８２を駆動する第３ステッピングモータ４０Ｃと、を備える。また、本実施形態のムーブメント２１０は、機構モジュール２２１を備える。このため、本実施形態によれば、第１実施形態の機構モジュール２１およびムーブメント１０と同様の作用効果を奏することができる。
【００９０】
また、本実施形態では、同軸に設けられた筒車３３および二番車２３６を１つの第２ステッピングモータ４０Ｂにより駆動する。このため、筒車および二番車を２つのステッピングモータにより駆動する構成と比較して、機構モジュール２２１を構成する部品点数を削減でき、機構モジュール２２１を小型化することができる。
【００９１】
［第４実施形態］
次に、第４実施形態の時計３０１、ムーブメント３１０および機構モジュール３２１について説明する。第１実施形態の機構モジュール２１は、２つの出力軸（第１出力軸８１および第２出力軸８２）を備えている。これに対して、第４実施形態の機構モジュール３２１は、３つの出力軸（第１出力軸８１、第２出力軸３８２および第３出力軸３８３）を備える点で、第１実施形態の機構モジュール２１と異なっている。
【００９２】
（時計）
図２２は、第４実施形態の時計の平面図である。
図２２に示すように、時計３０１のコンプリートは、ムーブメント３１０、文字板３１１、時針１２、分針１３、第１表示針３１４Ａ（第２針）および第２表示針３１４Ｂ（第３針）を備える。第１表示針３１４Ａおよび第２表示針３１４Ｂは、それぞれ時計３０１が実行しているモードの種類等、時針１２および分針１３が指示する時刻情報とは異なる情報を指示する。第１表示針３１４Ａは、機構モジュール３２１が備える第２出力軸３８２（図２３参照）に取り付けられ、第１回転軸線Ｏとは異なる第２回転軸線Ｐ３（第２出力軸３８２の中心軸線）回りに回転する。第２表示針３１４Ｂは、機構モジュール３２１が備える第３出力軸３８３（図２３参照）に取り付けられ、第１回転軸線Ｏおよび第２回転軸線Ｐ３とは異なる第３回転軸線Ｐ４（第３出力軸３８３の中心軸線）回りに回転する。第２表示針３１４Ｂは、軸方向における第１表示針３１４Ａと同じ位置に設けられている。第２回転軸線Ｐ３および第３回転軸線Ｐ４は、それぞれ第１回転軸線Ｏと平行に設けられている。
【００９３】
第２回転軸線Ｐ３から第１表示針３１４Ａの先端までの距離は、第２回転軸線Ｐ３から第１出力軸８１（図２３参照）までの距離よりも長くなっている。このため、第１表示針３１４Ａの回動範囲は、３６０°未満であって、第１出力軸８１を避けた扇形状に設定されている。本実施形態では、第１表示針３１４Ａの回動範囲は、１００°程度に設定されている。第３回転軸線Ｐ４から第２表示針３１４Ｂの先端までの距離は、第３回転軸線Ｐ４から第１出力軸８１（図２３参照）までの距離よりも長くなっている。このため、第２表示針３１４Ｂの回動範囲は、３６０°未満であって、第１出力軸８１を避けた扇形状に設定されている。本実施形態では、第２表示針３１４Ｂの回動範囲は、２９０°程度に設定されている。第１表示針３１４Ａの回動範囲と第２表示針３１４Ｂの回動範囲との和は、３６０°より大きくなっている。
【００９４】
文字板３１１は、主表示領域１５と、第１表示針３１４Ａに対応する第１副表示領域３１６Ａと、第２表示針３１４Ｂに対応する第２副表示領域３１６Ｂと、を有する。第１副表示領域３１６Ａには、第１表示針３１４Ａの先端により指示される文字等が、第１表示針３１４Ａの回動範囲に対応して、第２回転軸線Ｐ３を中心とする円弧状に並んで設けられている。本実施形態では、第１副表示領域３１６Ａは、第１表示針３１４Ａとの組み合わせにより、例えば時計３０１が実行しているモードの種類や曜日等を表示可能となっている。第２副表示領域３１６Ｂには、第２表示針３１４Ｂの先端により指示される目盛りが、第２表示針３１４Ｂの回動範囲に対応して、第３回転軸線Ｐ４を中心とする円弧状に並んで設けられている。本実施形態では、第２副表示領域３１６Ｂは、第２表示針３１４Ｂとの組み合わせにより、例えば活動量計の目標値に対する達成率や、タイマーの残り時間、日付等を表示可能となっている。
【００９５】
（ムーブメント）
図２３は、第４実施形態の時計の断面図である。
図２３に示すように、ムーブメント３１０は、文字板３１１とケース裏蓋（不図示）との間に配置されている。ムーブメント３１０は、時針１２、分針１３、第１表示針３１４Ａおよび第２表示針３１４Ｂが取り付けられる機構モジュール３２１と、機構モジュール３２１の表側に配置され機構モジュール３２１の駆動を制御する回路ブロック２３と、機構モジュール３２１と回路ブロック２３とを電気的に接続する中継基板２４と、機構モジュール３２１および回路ブロック２３を保持するモジュール枠３２５と、を備えている。
【００９６】
（機構モジュール）
図２４は、第４実施形態の機構モジュールを裏側から見た斜視図である。
図２４に示すように、機構モジュール３２１は、その外郭を形成する部材（本実施形態では後述する地板５１および筒車押さえ５３）から突出する第１出力軸８１、第２出力軸３８２および第３出力軸３８３を備えている。第１出力軸８１、第２出力軸３８２および第３出力軸３８３は、互いに異なる位置において、平行に設けられている。第１出力軸８１は、第１回転軸線Ｏ回りに回転する。第２出力軸３８２は、第２回転軸線Ｐ３回りに回転する。第３出力軸３８３は、第３回転軸線Ｐ４回りに回転する。
【００９７】
図２５は、第４実施形態の機構モジュールを表側から見た斜視図である。図２６は、第４実施形態の機構モジュールの内部構成を表側から見た平面図である。なお、図２５および図２６では、機構モジュール３２１に中継基板２４が配置された状態を示している。
図２６に示すように、機構モジュール３２１は、第１輪列３３０Ａ、第２輪列３３０Ｂおよび第３輪列３３０Ｃと、第１輪列３３０Ａを駆動する第１ステッピングモータ４０Ａと、第２輪列３３０Ｂを駆動する第２ステッピングモータ４０Ｂ（第２モータ）と、第３輪列３３０Ｃを駆動する第３ステッピングモータ４０Ｃ（第３モータ）と、各輪列３３０Ａ〜３３０Ｃ等を支持する地板５１および輪列受５２（図２５参照）と、地板５１に固定された筒車押さえ５３（図２４参照）と、地板５１と輪列受５２との間に配置された二番受５４と、を備えている。
【００９８】
図２７は、第４実施形態の機構モジュールの断面図である。
図２７に示すように、第１輪列３３０Ａは、第１ステッピングモータ４０Ａの駆動力を第２出力軸３８２に伝達する。第１輪列３３０Ａは、表示中間車３３１と、第１表示車３３２と、を有する。表示中間車３３１は、表示中間歯車３３１ａと表示中間かな３３１ｂとを有し、地板５１と輪列受５２とにより回転可能に支持されている。表示中間歯車３３１ａは、第１ステッピングモータ４０Ａのロータ４５のかな４５ａに噛み合っている。
【００９９】
第１表示車３３２は、第２回転軸線Ｐ３と同軸に配置されている。第１表示車３３２は、車軸３３２ａと、車軸３３２ａに固定された表示歯車３３２ｂと、を有する。車軸３３２ａは、地板５１に回転可能に支持されている。車軸３３２ａの表側の端部は、輪列受５２に設けられた第３ブッシュ５２ｃに軸支されている。車軸３３２ａの裏側の端部は、地板５１から裏側へ突出している。つまり、車軸３３２ａは、第２出力軸３８２である。車軸３３２ａの裏側の端部には、第１表示針３１４Ａが取り付けられる（図２３参照）。表示歯車３３２ｂは、表示中間車３３１の表示中間かな３３１ｂに噛み合っている。第１表示車３３２は、輪列受５２と表示歯車３３２ｂとの間に配置された第４針座６６により、地板５１側に向かって付勢されている。
【０１００】
図２６に示すように、第２輪列３３０Ｂは、第３実施形態における第１輪列２３０Ａと同様に構成されている。
図２３および図２６に示すように、第３輪列３３０Ｃは、第３ステッピングモータ４０Ｃの駆動力を第３出力軸３８３に伝達する。第３輪列３３０Ｃは、第１実施形態における第３輪列３０Ｃと同様に構成されている。第３輪列３３０Ｃの表示車３９は、第３回転軸線Ｐ４と同軸に配置されている。つまり、表示車３９の車軸３９ａは、第３出力軸３８３である。表示車３９の車軸３９ａの裏側の端部には、第２表示針３１４Ｂが取り付けられる。
【０１０１】
図２６に示すように、表示車３９の表示歯車３９ｂは、軸方向から見て筒車３３の筒歯車３３ａ（図２７参照）、および二番車２３６の二番歯車３６ａに重なるように配置されている。表示歯車３９ｂは、軸方向から見て、第２輪列３３０Ｂを構成する車、および第３輪列３３０Ｃを構成する車のうち表示車３９を除く全ての車の回転軸線同士を結ぶ線分により囲まれた領域Ｒの内側に、一部が重なるように配置されている。
【０１０２】
（モジュール枠）
図２８は、第４実施形態のムーブメントを裏側から見た底面図である。
図２８に示すように、モジュール枠３２５は、例えば樹脂材料等により、回路ブロック２３（図２３参照）と略同径の円盤状に形成されている。モジュール枠３２５には、モジュール配置孔３２５ａが形成されている。モジュール配置孔３２５ａは、モジュール枠３２５の中央部において軸方向に貫通している。モジュール配置孔３２５ａは、軸方向から見て機構モジュール３２１に対応する形状に形成されている。モジュール配置孔３２５ａには、機構モジュール３２１が配置される。図２３に示すように、機構モジュール３２１は、複数のネジ６０により回路ブロック２３に固定された状態で、モジュール枠３２５に取り付けられる。
【０１０３】
このように、本実施形態の機構モジュール３２１は、時針１２および分針１３が取り付けられる第１出力軸８１（筒車３３および二番車２３６）と、第１表示針３１４Ａが取り付けられ、第２回転軸線Ｐ３回りに回転する第２出力軸３８２（車軸３３２ａ）と、第２表示針３１４Ｂが取り付けられ、第３回転軸線Ｐ４回りに回転する第３出力軸３８３（車軸３９ａ）と、を備える。さらに、機構モジュール３２１は、第１出力軸８１を駆動する第２ステッピングモータ４０Ｂと、第２出力軸３８２を駆動する第１ステッピングモータ４０Ａと、第３出力軸３８３を駆動する第３ステッピングモータ４０Ｃと、を備える。また、本実施形態のムーブメント３１０は、機構モジュール３２１を備える。このため、本実施形態によれば、第１出力軸８１に取り付けられる時針１２および分針１３が指示する情報、および第２出力軸３８２に取り付けられる第１表示針３１４Ａが指示する情報とは異なる情報を、第２表示針３１４Ｂにより指示させることが可能となる。したがって、複数の情報を同時に表示させることが可能な機構モジュール３２１を提供できる。
【０１０４】
また、機構モジュール３２１は、第１出力軸８１と、第１出力軸８１とは異なる軸線回りに回転する第２出力軸３８２と、第１出力軸８１および第２出力軸３８２とは異なる軸線回りに回転する第３出力軸３８３と、を備えるので、３つの機構モジュールを用いて３つの出力軸を設ける構成と比較して、機構モジュールが占有するスペースを削減することができる。したがって、機構モジュール３２１が搭載される時計を小型化することが可能となる。
【０１０５】
また、本実施形態では、同軸に設けられた筒車３３および二番車２３６を１つの第２ステッピングモータ４０Ｂにより駆動する。このため、筒車および二番車を２つのステッピングモータにより駆動する構成と比較して、機構モジュール３２１を構成する部品点数を削減でき、機構モジュール３２１を小型化することができる。
【０１０６】
また、第１出力軸８１に固定された筒歯車３３ａおよび二番歯車３６ａと、第３出力軸３８３に固定された表示歯車３９ｂと、が軸方向から見て重なるように設けられているので、第１出力軸８１と第３出力軸３８３とを近接させることができる。よって、軸方向から見た機構モジュール３２１の外形を小さくすることができる。
【０１０７】
また、第２回転軸線Ｐ３から第１表示針３１４Ａの先端までの距離は、第２回転軸線Ｐ３から第１出力軸８１までの距離よりも長く設定され、第１表示針３１４Ａの回動範囲は、扇形状に設定されているので、第１表示針３１４Ａを第１出力軸８１と接触しない範囲で回動させることができる。第２表示針３１４Ｂについても同様である。これにより、回動範囲が３６０°に設定された表示針を用いる場合と比較して、より長い第１表示針３１４Ａおよび第２表示針３１４Ｂにより時針１２および分針１３が指示する時刻情報とは異なる情報を指示することが可能となる。
【０１０８】
さらに、第１表示針３１４Ａの回動範囲の中心角と第２表示針３１４Ｂの回動範囲の中心角との和が３６０°より大きいので、回動範囲が３６０°以下の針を１つ用いて時針１２および分針１３が指示する情報とは異なる情報を指示する場合と比較して、より多くの情報を指示することが可能となる。したがって、より多くの情報を視認しやすく表示できる時計３０１を提供できる。
【０１０９】
なお、本実施形態では、第１表示針３１４Ａおよび第２表示針３１４Ｂが軸方向の同じ位置に設けられ、第１副表示領域３１６Ａおよび第２副表示領域３１６Ｂが軸方向から見て互いに重ならないように設けられている。しかしながら、第１表示針３１４Ａおよび第２表示針３１４Ｂが軸方向の異なる位置に設けられ、第１副表示領域および第２副表示領域が軸方向から見て重なるように設けられていてもよい。
【０１１０】
［第５実施形態］
次に、第５実施形態の時計４０１、ムーブメント４１０および機構モジュール４２１について説明する。第５実施形態の時計４０１は、秒針１８を備える点で、第１実施形態の時計１と異なっている。
【０１１１】
（時計）
図２９は、第５実施形態の時計の平面図である。
図２９に示すように、時計４０１のコンプリートは、ムーブメント４１０、文字板４１１、時針１２、分針１３、秒針１８および第１表示針３１４Ａを備える。本実施形態では、第１表示針３１４Ａの回動範囲は、１５０°程度に設定されている。文字板４１１は、主表示領域１５と、第１副表示領域３１６Ａと、を有する。
【０１１２】
（ムーブメント）
図３０は、第５実施形態の時計の断面図である。
図３０に示すように、ムーブメント４１０は、文字板４１１とケース裏蓋（不図示）との間に配置されている。ムーブメント４１０は、時針１２、分針１３、秒針１８および第１表示針３１４Ａが取り付けられる機構モジュール４２１と、機構モジュール４２１の表側に配置され機構モジュール４２１の駆動を制御する回路ブロック２３と、機構モジュール４２１と回路ブロック２３とを電気的に接続する中継基板２４と、機構モジュール４２１および回路ブロック２３を保持するモジュール枠４２５と、を備えている。
【０１１３】
（機構モジュール）
図３１は、第５実施形態の機構モジュールを裏側から見た斜視図である。
図３１に示すように、機構モジュール４２１は、その外郭を形成する部材（本実施形態では後述する地板５１および筒車押さえ５３）から突出する第１出力軸４８１および第２出力軸３８２を備えている。第１出力軸４８１および第２出力軸３８２は、互いに異なる位置において、平行に設けられている。第１出力軸４８１は、第１回転軸線Ｏ回りに回転する。
【０１１４】
図３２は、第５実施形態の機構モジュールを表側から見た斜視図である。図３３は、第５実施形態の機構モジュールの内部構成を表側から見た平面図である。なお、図３２および図３３では、機構モジュール４２１に中継基板２４が配置された状態を示している。
図３３に示すように、機構モジュール４２１は、第１輪列３３０Ａ、第２輪列４３０Ｂおよび第３輪列４３０Ｃと、第１輪列３３０Ａを駆動する第１ステッピングモータ４０Ａと、第２輪列４３０Ｂを駆動する第２ステッピングモータ４０Ｂと、第３輪列４３０Ｃを駆動する第３ステッピングモータ４０Ｃと、各輪列３３０Ａ，４３０Ｂ，４３０Ｃ等を支持する地板５１および輪列受５２（図３２参照）と、地板５１に固定された筒車押さえ５３（図３１参照）と、地板５１と輪列受５２との間に配置された二番受５４と、を備えている。
【０１１５】
第２輪列４３０Ｂは、第２ステッピングモータ４０Ｂの駆動力を第１出力軸４８１（図３０参照）に伝達する。第２輪列４３０Ｂは、第３実施形態における第１輪列２３０Ａと同様に構成されている。筒車３３および二番車２３６は、第１出力軸４８１である（図３０参照）。
【０１１６】
図３４は、第５実施形態の機構モジュールの断面図である。
図３４に示すように、第３輪列４３０Ｃは、第３ステッピングモータ４０Ｃの駆動力を第１出力軸４８１に伝達する。第３輪列４３０Ｃは、六番車４３７と、五番車４３８と、四番車４３９と、を有する。六番車４３７は、六番歯車４３７ａと六番かな４３７ｂとを有し、地板５１と輪列受５２とにより回転可能に支持されている。六番歯車４３７ａは、第３ステッピングモータ４０Ｃのロータ４５のかな４５ａに噛み合っている。五番車４３８は、五番歯車４３８ａと五番かな４３８ｂとを有し、地板５１と輪列受５２とにより回転可能に支持されている。五番歯車４３８ａは、六番車４３７の六番かな４３７ｂに噛み合っている。
【０１１７】
四番車４３９は、第１回転軸線Ｏと同軸に配置されている。四番車４３９は、車軸４３９ａと、車軸４３９ａに固定された四番歯車４３９ｂと、を有する。車軸４３９ａは、二番車２３６に挿通され、二番車２３６に回転可能に支持されている。車軸４３９ａの表側の端部は、輪列受５２に設けられた第４ブッシュ５２ｄに軸支されている。車軸４３９ａの裏側の端部は、地板５１から裏側へ突出している。つまり、車軸４３９ａは、第１出力軸４８１である。車軸４３９ａの裏側の端部には、秒針１８が取り付けられる（図３０参照）。四番歯車４３９ｂは、五番車４３８の五番かな４３８ｂに噛み合っている。四番車４３９は、輪列受５２と四番歯車４３９ｂとの間に配置された第５針座６７により、地板５１側に向かって付勢されている。
【０１１８】
（モジュール枠）
図３５は、第５実施形態のムーブメントを裏側から見た底面図である。
図３５に示すように、モジュール枠４２５は、例えば樹脂材料等により、回路ブロック２３（図３０参照）と略同径の円盤状に形成されている。モジュール枠４２５には、モジュール配置孔４２５ａが形成されている。モジュール配置孔４２５ａは、モジュール枠４２５の中央部において軸方向に貫通している。モジュール配置孔４２５ａは、軸方向から見て機構モジュール４２１に対応する形状に形成されている。モジュール配置孔４２５ａには、機構モジュール４２１が配置される。図３０に示すように、機構モジュール４２１は、複数のネジ６０により回路ブロック２３に固定された状態で、モジュール枠４２５に取り付けられる。
【０１１９】
このように、本実施形態の機構モジュール４２１は、時針１２、分針１３および秒針１８が取り付けられる第１出力軸４８１（筒車３３、二番車２３６および車軸４３９ａ）と、第１表示針３１４Ａが取り付けられ、第２回転軸線Ｐ３回りに回転する第２出力軸３８２（車軸３３２ａ）と、を備える。さらに、機構モジュール４２１は、第１出力軸４８１を駆動する第２ステッピングモータ４０Ｂおよび第３ステッピングモータ４０Ｃと、第２出力軸３８２を駆動する第１ステッピングモータ４０Ａと、を備える。また、本実施形態のムーブメント４１０は、機構モジュール４２１を備える。このため、本実施形態によれば、第１実施形態の機構モジュール２１およびムーブメント１０と同様の作用効果を奏することができる。
【０１２０】
また、本実施形態では、同軸に設けられた筒車３３および二番車２３６を１つの第２ステッピングモータ４０Ｂにより駆動する。このため、筒車および二番車を２つのステッピングモータにより駆動する構成と比較して、機構モジュール２２１を構成する部品点数を削減でき、機構モジュール４２１を小型化することができる。
【０１２１】
［第６実施形態］
次に、第６実施形態の時計５０１、ムーブメント５１０および機構モジュール５２１について説明する。第６実施形態では、時計５０１が秒針１８を備えず、機構モジュール５２１が第３ステッピングモータ４０Ｃおよび第３輪列４３０Ｃを備えていない点で、第５実施形態と異なっている。
【０１２２】
（時計）
図３６は、第６実施形態の時計の平面図である。
図３６に示すように、時計５０１のコンプリートは、ムーブメント５１０、文字板４１１、時針１２、分針１３および第１表示針３１４Ａを備える。
【０１２３】
（ムーブメント）
図３７は、第６実施形態の時計の断面図である。
図３７に示すように、ムーブメント５１０は、文字板４１１とケース裏蓋（不図示）との間に配置されている。ムーブメント５１０は、時針１２、分針１３および第１表示針３１４Ａが取り付けられる機構モジュール５２１と、機構モジュール５２１の表側に配置され機構モジュール５２１の駆動を制御する回路ブロック２３と、機構モジュール５２１と回路ブロック２３とを電気的に接続する中継基板２４と、機構モジュール５２１および回路ブロック２３を保持するモジュール枠５２５と、を備えている。
【０１２４】
（機構モジュール）
図３８は、第６実施形態の機構モジュールを裏側から見た斜視図である。
図３８に示すように、機構モジュール５２１は、その外郭を形成する部材（本実施形態では後述する地板５５１および筒車押さえ５５３）から突出する第１出力軸８１および第２出力軸３８２を備えている。
【０１２５】
図３９は、第６実施形態の機構モジュールを表側から見た斜視図である。図４０は、第６実施形態の機構モジュールの内部構成を表側から見た平面図である。なお、図３９および図４０では、機構モジュール５２１に中継基板２４が配置された状態を示している。
図４０に示すように、機構モジュール５２１は、第１輪列３３０Ａおよび第２輪列３３０Ｂと、第１輪列３３０Ａを駆動する第１ステッピングモータ４０Ａと、第２輪列３３０Ｂを駆動する第２ステッピングモータ４０Ｂと、各輪列３３０Ａ，３３０Ｂ等を支持する地板５５１および輪列受５５２（図３９参照）と、地板５５１に固定された筒車押さえ５５３（図３８参照）と、地板５５１と輪列受５５２との間に配置された二番受５４と、を備えている。
【０１２６】
地板５５１は、機構モジュール５２１の基板を構成している。地板５５１は、第５実施形態の地板５１に対し、第３ステッピングモータ４０Ｃを支持する箇所の一部が省略された構成を有している。
図３９に示すように、輪列受５５２は、地板５５１の表側に配置されている。
図３８に示すように、筒車押さえ５５３は、地板５５１の裏側に固定されている。
【０１２７】
（モジュール枠）
図４１は、第６実施形態のムーブメントを裏側から見た底面図である。
図４１に示すように、モジュール枠５２５は、例えば樹脂材料等により、回路ブロック２３（図３７参照）と略同径の円盤状に形成されている。モジュール枠５２５には、モジュール配置孔５２５ａが形成されている。モジュール配置孔５２５ａは、モジュール枠５２５の中央部において軸方向に貫通している。モジュール配置孔５２５ａは、軸方向から見て機構モジュール５２１に対応する形状に形成されている。モジュール配置孔５２５ａには、機構モジュール５２１が配置される。図３７に示すように、機構モジュール５２１は、複数のネジ６０により回路ブロック２３に固定された状態で、モジュール枠５２５に取り付けられる。
【０１２８】
このように、本実施形態の機構モジュール５２１は、時針１２および分針１３が取り付けられる第１出力軸８１（筒車３３および二番車２３６）と、第１表示針３１４Ａが取り付けられ、第２回転軸線Ｐ３回りに回転する第２出力軸３８２（車軸３３２ａ）と、を備える。さらに、機構モジュール５２１は、第１出力軸８１を駆動する第２ステッピングモータ４０Ｂと、第２出力軸３８２を駆動する第１ステッピングモータ４０Ａと、を備える。また、本実施形態のムーブメント５１０は、機構モジュール５２１を備える。このため、本実施形態によれば、第１実施形態の機構モジュール２１およびムーブメント１０と同様の作用効果を奏することができる。
【０１２９】
また、本実施形態では、同軸に設けられた筒車３３および二番車２３６を１つの第２ステッピングモータ４０Ｂにより駆動する。このため、筒車および二番車を２つのステッピングモータにより駆動する構成と比較して、機構モジュール５２１を構成する部品点数を削減でき、機構モジュール５２１を小型化することができる。
【０１３０】
なお、本発明は、図面を参照して説明した上述の実施形態に限定されるものではなく、その技術的範囲において様々な変形例が考えられる。
例えば、上記実施形態においては、アナログクォーツ式の時計に本発明を適用した例を説明したが、アナログ表示およびデジタル表示を備えたコンビネーションクォーツ式の時計に本発明を適用してもよい。
【０１３１】
また、上記各実施形態においては、機構モジュールが２個または３個のステッピングモータを備える場合を例に挙げて説明したが、これに限定されず、４個以上のステッピングモータを備えていてもよい。
【０１３２】
また、上記各実施形態においては、第１回転軸線Ｏとは異なる第２回転軸線回りに回転（回動）する第２出力軸が１箇所に設けられているが、これに限定されるものではなく、第２出力軸が複数箇所に設けられていてもよい。
【０１３３】
その他、本発明の趣旨を逸脱しない範囲で、上記した実施の形態における構成要素を周知の構成要素に置き換えることは適宜可能であり、また、上述した各実施形態を適宜組み合わせてもよい。
【符号の説明】
【０１３４】
１，１０１，２０１，３０１，４０１，５０１…時計  １０，１１０，２１０，３１０，４１０，５１０…ムーブメント  １２…時針（第１針）  １３…分針（第１針）  １４，１１４…表示針（第２針）  ２１，１２１，２２１，３２１，４２１，５２１…機構モジュール  １３０Ｃ…第３輪列（輪列）  ３３…筒車（第１出力軸）  ３３ａ…筒歯車（第１歯車）  ３６，２３６…二番車（第１出力軸）  ３６ａ…二番歯車（第１歯車）  ３９ａ，１３９ａ…車軸（第２出力軸）  ３９ｂ…表示歯車（第２歯車）  ４０Ａ…第１ステッピングモータ（第１モータ、第２モータ）  ４０Ｂ…第２ステッピングモータ（第１モータ）  ４０Ｃ…第３ステッピングモータ（第２モータ、第３モータ）  ８１，４８１…第１出力軸  ８２，１８２，３８２…第２出力軸  １３９ｂ…表示歯車（歯車）  １５１…地板  １５１ｂ…突部  ３１４Ａ…第１表示針（第２針）  ３１４Ｂ…第２表示針（第３針）  ３８３…第３出力軸
【図１】
2018132519.tif 000003
【図２】
2018132519.tif 000004
【図３】
2018132519.tif 000005
【図４】
2018132519.tif 000006
【図５】
2018132519.tif 000007
【図６】
2018132519.tif 000008
【図７】
2018132519.tif 000009
【図８】
2018132519.tif 000010
【図９】
2018132519.tif 000011
【図１０】
2018132519.tif 000012
【図１１】
2018132519.tif 000013
【図１２】
2018132519.tif 000014
【図１３】
2018132519.tif 000015
【図１４】
2018132519.tif 000016
【図１５】
2018132519.tif 000017
【図１６】
2018132519.tif 000018
【図１７】
2018132519.tif 000019
【図１８】
2018132519.tif 000020
【図１９】
2018132519.tif 000021
【図２０】
2018132519.tif 000022
【図２１】
2018132519.tif 000023
【図２２】
2018132519.tif 000024
【図２３】
2018132519.tif 000025
【図２４】
2018132519.tif 000026
【図２５】
2018132519.tif 000027
【図２６】
2018132519.tif 000028
【図２７】
2018132519.tif 000029
【図２８】
2018132519.tif 000030
【図２９】
2018132519.tif 000031
【図３０】
2018132519.tif 000032
【図３１】
2018132519.tif 000033
【図３２】
2018132519.tif 000034
【図３３】
2018132519.tif 000035
【図３４】
2018132519.tif 000036
【図３５】
2018132519.tif 000037
【図３６】
2018132519.tif 000038
【図３７】
2018132519.tif 000039
【図３８】
2018132519.tif 000040
【図３９】
2018132519.tif 000041
【図４０】
2018132519.tif 000042
【図４１】
2018132519.tif 000043